(57)【特許請求の範囲】
【請求項１】
監視電路の通電電流を検出する変流器１と、変流器１からの信号を受け、通電電流を測定する電流測定回路２と、監視電路の通電電流の上限（以下、設定電流値と称す）を設定する電流設定回路３と、制御対象機器又は制御対象回路が停止又は遮断状態にあるとき、監視電路の通電電流がある電流値以下を継続すると制御対象機器又は制御対象回路が復帰するような復帰電流を設定する復帰電流設定回路４と、前記電流測定回路２からの通電電流値と前記電流設定回路３からの設定電流値を比較する比較回路５と、前記比較回路５からの信号を受け、制御対象機器又は制御対象回路の「入」「切」制御を行う電流制御回路６と、
を備えたピークカットコントローラーにおいて、制御対象機器又は制御対象回路の通電電流を測定する制御対象通電電流測定手段７と、制御対象機器又は制御対象回路が電流制御回路６による「切」制御ののち復帰しても、監視電路の通電電流が前記設定電流値を超えないように復帰電流を設定する復帰電流設定回路４と、
を備えたことを特徴とするピークカットコントローラー。
【請求項２】
前記制御対象通電電流測定手段７は、前記電流制御回路の動作前後のある時間の電流値から、制御対象機器又は通電対象回路の通電電流を算出する制御対象通電電流測定回路１０を備えたことを特徴とする請求項１のピークカットコントローラー。
【発明の詳細な説明】
【０００１】
【発明の属する技術分野】
この発明は、監視電路の通電電流を設定電流値未満に制御する装置に関するものである。
【０００２】
【従来の技術】
ピークカットコントローラーは、監視電路に流れる電流値が、設定電流を超えた場合、制御対象機器又は制御対象回路の「入」「切」を自動で行うことにより、遮断器の動作による停電を防止するものである。従来の復帰電流値は、電流設定値に対して固定されていた。
【０００３】
【発明が解決しようとする課題】
前述した従来のピークカットコントローラーは、電流設定値に対して復帰電流値が固定されているため、接続された制御対象機器又は制御対象回路の使用電流の大小により、復帰条件を適切に設定していなかった。例えば、制御対象機器又は制御対象回路が大型機器などのように使用電流が大きい場合、復帰すると通電電流が設定電流を越え、再び「切」制御状態になることがあり、再運転を始めた電気機器や他の電気機器の使用をやめざるを得ない。
【０００４】
本発明はピークカットコントローラーにおいて、制御対象機器又は制御対象回路が復帰しても監視電路の通電電流が電流設定値未満となるよう復帰電流を設定するピークカットコントローラーを提供することを目的とする。
【０００５】
【課題を解決するための手段】
請求項１の発明は、監視電路の通電電流を検出する変流器１と、変流器１からの信号を受け、通電電流を測定する電流測定回路２と、監視電路の通電電流の上限（以下、設定電流値と称す）を設定する電流設定回路３と、制御対象機器又は制御対象回路が停止又は遮断状態にあるとき、監視電路の通電電流がある電流値以下を継続すると制御対象機器又は制御対象回路が復帰するような復帰電流を設定する復帰電流設定回路４と、前記電流測定回路２からの通電電流値と前記電流設定回路３からの設定電流値を比較する比較回路５と、前記比較回路５からの信号を受け、制御対象機器又は制御対象回路の「入」「切」制御を行う電流制御回路６と、を備えたピークカットコントローラーにおいて、制御対象機器又は制御対象回路の通電電流を測定する制御対象通電電流測定手段７と、制御対象機器又は制御対象回路が電流制御回路６による「切」制御ののち復帰しても、監視電路の通電電流が前記設定電流値を超えないように復帰電流を設定する復帰電流設定回路４と、を設けた構成としている。
【０００６】
請求項２の記載の発明は，請求項１のピークカットコントローラーにおいて，制御対象通電電流測定手段７は、前記電流制御回路の動作前後のある時間の電流値から、制御対象機器又は通電対象回路の通電電流を算出する制御対象通電電流測定回路１０を備えた構成としている。
【０００７】
【作用】
請求項１の構成によれば、設定値を超える過電流が電路を流れ、電流制御手段による「切」の状態から復帰する場合に、制御対象通電電流測定手段を用いて制御対象機器又は制御対象回路の通電電流を測定することにより、制御対象機器又は制御対象回路が復帰しても、監視電路の通電電流が設定電流を超えないように復帰電流値を設定する作用がある。
【０００８】
請求項２の記載の構成によれば、請求項１の作用を奏するうえに、制御対象機器又は制御対象回路の通電電流を、電流制御回路が動作する前後における監視電路の通電電流の差から算出することができ，各制御対象機器又は制御対象回路への通電電流測定装置の配置を省く作用がある。
【０００９】
【発明の実施の形態】
以下、本発明の一実施例を図１〜５に基づいて説明する。
【００１０】
図１は、請求項１のピークカットコントローラーの構成を表すブロック図であり、変流器1、電流測定回路2、電流設定回路3、比較回路5、電流制御回路6等を主要構成部材としている。接点を含む過電流遮断器と接続されている監視電路10は、単相三線式の場合を示している。
【００１１】
変流器1は、監視電路10に流れる電流を検出して交流電流を出力するものである。監視電路10が単相三線式の場合、両端極の電流量をそれぞれ検出しなければならないため、変流器は両端極の電線に２個貫通させ、変流器1の出力波形は監視電路10の通電電流波形の微分値に比例する。
【００１２】
電流測定回路2は、変流器1からの信号を監視電路の通電電流値として測定する回路である。
【００１３】
電流設定回路３は、監視電路における通電の電流上限を設定する回路で、例えばスイッチ等を用いて設定する。一般的には、監視電路に接続された過電流遮断機が動作し難い電流値に設定する。
【００１４】
比較回路5は、電流測定回路2と電流設定回路3とからの信号を比較して、監視電路の通電電流が電流設定値を超えた場合、過電流に応じた信号を電流制御回路6へ出力する。また，制御対象機器又は制御対象回路が電流制御回路６による「切」制御ののち，電流測定回路2と復帰電流設定回路4からの信号とを比較して、前記通電電流が復帰電流値未満を継続した場合、電流制御回路6へ信号を出力する。
【００１５】
電流制御回路6は、比較回路5から信号を受け、信号に応じた制御対象機器又は制御対象回路の制御を行う。例えば、監視電路の通電電流が電流設定値を超えた場合、あらかじめ決められた順位にしたがって、複数の制御対象機器又は制御対象回路の停止又は遮断を順番に行う。また、監視電路の通電電流が復帰電流値未満を継続した場合、複数の制御対象機器又は制御対象回路をあらかじめ定められた順位にしたがって復帰させる。なお，制御対象機器又は制御対象回路は単体でもかまわない。
【００１６】
制御対象通電電流測定手段7は、接続された各制御対象機器又は制御対象回路におけるそれぞれの使用電流を測定する。例えば，個々の制御対象機器又は制御対象回路に電流測定手段を配置し，制御対象機器又は制御対象回路の使用電流を測定するなどの方法をとる。
【００１７】
復帰電流設定回路4は、電流制御回路により「切」制御状態にある制御対象機器又は制御対象回路が復帰しても、監視電路の通電電流が設定電流値未満になるように、復帰電流値を設定する。例えば、復帰電流値は設定電流値から前記制御対象通電電流測定回路より受けた制御対象機器又は制御対象回路の通電電流値を引いた値とすれば、制御対象機器又は制御対象回路が復帰しても監視電路の通電電流は電流設定値を超えないような復帰電流値を得る。
【００１８】
図４は，ピークカットコントローラー機能のフローチャートであり，比較回路5，電流制御回路6，制御対象通電電流測定手段7，復帰電流設定回路4の動作プログラムを示す。１１は電流測定回路2からの通電電流値及び電流設定回路3からの電流設定値を読み込むステップである。１２は，監視電路の通電電流が設定電流に達したかを判断するステップ，１３は超過した通電電流量に応じ，監視電路の通電電流を設定電流値未満になるように所定の処理を出力するステップである。１４は，１３からの信号を受け，制御対象機器又は制御対象回路の停止又は遮断信号を出力するステップである。１５は，測定された制御対象機器又は制御対象回路の通電電流から，復帰電流を設定するステップである。１６は，監視電路の通電電流が前記復帰電流値を下まわっているかを判断するステップであり，１７は，停止又は遮断した制御対象機器又は制御対象回路の復帰を出力するステップである。なお，ステップ１２，１６で「NO」と判断された場合，矢印「NO」の経路を通り条件を満たすまで繰り返す。
【００１９】
このような構成にすることにより，個々の制御対象の通電電流を測定し，制御対象機器又は制御対象回路の通電電流が復帰しても，監視電路の通電電流が電流設定値を超えない復帰電流を設定するピークカットコントローラー得ることができる。
【００２０】
次に、本発明の第２実施例を図２に基づいて説明する。この実施例は、制御対象通電電流測定回路を配した点が第１実施例とは異なり、他の部分はほぼ共通なので説明を省略する。なお、共通な部分に関しては図１と同じ番号を付している。
【００２１】
制御対象通電電流測定回路１０は、分岐回路に接続された各制御対象機器又は制御対象回路の通電電流を監視する。例えば、電流制御回路がある制御対象機器又は制御対象回路を停止或いは遮断した場合、監視電路の通電電流は図4のように変化する。前記停止或いは遮断した時間をＴとし、時間Ｔ前後のある時間をｔ１及びｔ２とし、時間ｔ１、ｔ２の平均電流をそれぞれＩ１、Ｉ２とすると、制御された制御対象機器又は制御対象回路の通電電流ＩはＩ＝Ｉ２−Ｉ１と表され、算出することができる。
【００２２】
復帰電流設定回路4は、電流制御回路６により「切」状態にある制御対象機器又は制御対象回路が復帰しても、監視電路の通電電流が設定電流値未満になるように、復帰電流値を設定する。例えば、復帰電流値は設定電流値から前記制御対象通電電流測定回路１０より受けた制御対象機器又は制御対象回路の通電電流値を引いた値とすれば、制御対象機器又は制御対象回路が復帰しても監視電路の通電電流は電流設定値を超えない復帰電流値を得る。
【００２３】
図５は，復帰電流設定のフローチャートであり，第１実施例の１５のステップに相当する。その他のステップについてはほぼ共通なので，説明は省略する。１８は，制御対象機器又は制御対象回路の停止又は遮断前後のある所定の時間において，監視電路の通電電流を読みとりそれぞれを平均化するステップである。１９は，１８で入力された監視電路の通電電流の差を求めし，各制御対象機器又は制御対象回路の通電電流を算出する。２０は，電流設定値と１９で算出された通電電流値の差をとり，制御対象機器又は制御対象回路が復帰しても，監視電路の通電電流が電流設定値を超えない復帰電流値を設定する。
【００２４】
このような構成にすることにより，監視電路の通電電流値を流用することで各制御対象機器又は制御対象回路の通電電流が算出でき，各制御対象機器又は制御対象回路に通電電流測定装置を配置する方法をとらなくてもよい。
【００２５】
【発明の効果】
請求項１記載のピークカットコントローラーは，監視電路に過電流が流れ，「切」制御された制御対象機器又は制御対象回路を復帰させる際に設定する復帰電流値を，個々の制御対象の使用電流を測定し，制御対象機器又は制御対象回路の通電電流が復帰しても，監視電路の通電電流が電流設定値を超えないような設定電流値を得ることができる。
【００２６】
請求項２記載のピークカットコントローラーは，請求項１の効果を奏するうえに，監視電路の通電電流値を流用することで，各制御対象機器又は制御対象回路に通電電流測定装置を配置する方法をとらずに，各制御対象機器又は制御対象回路の使用電流を算出できる。
【図面の簡単な説明】
【図１】本発明の第１実施例を示すピークカットコントローラーのブロック図である。
【図２】本発明の第２実施例を示すピークカットコントローラーのブロック図である。
【図３】制御対象機器又は制御対象回路の停止又は遮断時における監視回路の通電電流の変化
【図４】ピークカットコントローラー機能のフローチャート
【図５】復帰電流設定のフローチャート
【図１】
0003829529.tif 000002
【図２】
0003829529.tif 000003
【図３】
0003829529.tif 000004
【図４】
0003829529.tif 000005
【図５】
0003829529.tif 000006